(57)【特許請求の範囲】
【請求項１】
枠体と、この枠体に嵌め込まれた導光板および化粧板とを備えた面発光装置において、
前記枠体の内周側に設けられた断面形状がコ字形の嵌め込み溝と、
少なくとも導光板と化粧板とが重ねられた構成を有する面発光ユニットとを備え、
前記枠体は、上枠材と下枠材と左右の縦枠材とで枠組みされ、
これらの上枠材と下枠材と左右の縦枠材の少なくとも１つは、一方側の見付け片部材と、他方側の見付け片部材とに分割されると共に、前記一方側の見付け片部材と、前記他方側の見付け片部材とは互いに固定具により固定されて前記嵌め込み溝を形成しており、
前記面発光ユニットは、その周囲が、前記コ字形の嵌め込み溝内の奥面である見込み面に対向して前記嵌め込み溝内に収容されると共に、前記面発光ユニットは、前記嵌め込み溝の対向する内面の間で挟持されることにより、前記枠体内に固定されていることを特徴とする面発光装置。
【請求項２】
請求項１に記載の面発光装置において、
前記面発光装置の少なくとも一方の面と前記嵌め込み溝の内面との間に設けられた弾性材を備えたことを特徴とする面発光装置。
【請求項３】
請求項１または２に記載の面発光装置において、
前記一方側の見付け片部材と前記他方側の見付け片部材とが、これらの見付け片部材の間の内側に配置された連結部材により連結されており、
前記連結部材は、前記一方側の見付け片部材と前記他方側の見付け片部材の少なくともいずれか一方の見付け片部材の長手方向の長さより短く形成されていることを特徴とする面発光装置。
【請求項４】
請求項３に記載の面発光装置において、
前記一方側の見付け片部材と、前記他方側の見付け片部材の少なくともいずれか一方は、左右の縦枠材の見付け片部材の間に上枠材および下枠材の各見付け片部材が配置されるか、もしくは上枠材と下枠材の各見付け片部材との間に左右の縦枠材の見付け片部材が配置される構成を有し、
上下または左右の見付け片部材間に配置される側の見付け片部材に連結される連結部材の長手方向の端部は、見付け片部材間に配置される側の見付け片部材の長手方向の端部より長手方向に突出して配置されていることを特徴とする面発光装置。
【請求項５】
請求項１から４までのいずれか１項に記載の面発光装置が組み付けられた建具であって、
前記建具の枠体における、ガラスパネルの装着部よりも室内側の見込み面に前記面発光装置が取付けられていることを特徴とする建具。
【発明の詳細な説明】
【技術分野】
【０００１】
本発明は、主として商業施設や公共施設等として用いられる建築物の壁面等に設置される面発光装置と、その面発光装置を組み込んだ建具に関する。
【背景技術】
【０００２】
絵、文字、模様、マーク等を表示するため、あるいは単に無色もしくは着色した発光を行なわせるため、面発光装置が用いられる。この面発光装置は、光源からの光により面発光させる導光板や、その面発光した光により表示や装飾等を行なう化粧版を枠体に囲み、窓枠等に組み付けて施工される。このような面発光装置として、特許文献１に記載されたものがある。
【０００３】
特許文献１に開示されている従来の面発光装置は、枠体に複数の嵌め込み溝を見込み方向に並べて設け、各嵌め込み溝に導光板や表示パネル（化粧板）を、それぞれ個別に嵌め込んで配置した構造を有する。また、このように構成された面発光装置を、窓等の建具の枠体の室内側見付け面に取付ける構造を有する。
【先行技術文献】
【特許文献】
【０００４】
【特許文献１】特開２０１３−１１１４０号公報
【発明の概要】
【発明が解決しようとする課題】
【０００５】
しかしながら、従来の面発光装置は、枠体に複数の嵌め込み溝を見込み方向に並べて設け、各嵌め込み溝にそれぞれ導光板や表示パネル（化粧板）を嵌め込んで構成しているので、見込み方向の幅が大きくなってしまうという問題点があった。また、窓等の建具に取付ける場合も、枠体の室内側見付け面に面発光装置が取付けられるため、面発光装置が室内側に突出する突出幅が大きくなるという問題点があった。
【０００６】
本発明は、上記問題点に鑑み、見込み方向の幅を狭くすることが可能となる面発光装置と、その面発光装置を組み付けたものであって、見込み方向の幅を狭くすることが可能となる建具とを提供することを目的とする。
【課題を解決するための手段】
【０００７】
本発明の面発光装置は、
枠体と、この枠体に嵌め込まれた導光板および化粧板とを備えた面発光装置において、
前記枠体の内周側に設けられた断面形状がコ字形の嵌め込み溝と、
少なくとも導光板と化粧板とが重ねられた構成を有する面発光ユニットとを備え、
前記枠体は、上枠材と下枠材と左右の縦枠材とで枠組みされ、
これらの上枠材と下枠材と左右の縦枠材の少なくとも１つは、一方側の見付け片部材と、他方側の見付け片部材とに分割されると共に、前記一方側の見付け片部材と、前記他方側の見付け片部材とは互いに固定具により固定されて前記嵌め込み溝を形成しており、
前記面発光ユニットは、その周囲が、前記コ字形の嵌め込み溝内の奥面である見込み面に対向して前記嵌め込み溝内に収容されると共に、前記面発光ユニットは、前記嵌め込み溝の対向する内面の間で挟持されることにより、前記枠体内に固定されていることを特徴とする。
【０００８】
また、本発明の面発光装置は、前記面発光装置において、
前記面発光ユニットの少なくとも一方の面と前記嵌め込み溝の内面との間に設けられた弾性材を備えたことを特徴とする。
【０００９】
また、本発明の面発光装置は、前記面発光装置において、
前記一方側の見付け片部材と前記他方側の見付け片部材とが、これらの見付け片部材の間の内側に配置された連結部材により連結されており、
前記連結部材は、前記一方側の見付け片部材と前記他方側の見付け片部材の少なくともいずれか一方の見付け片部材の長手方向の長さより短く形成されていることを特徴とする。
【００１０】
また、本発明の面発光装置は、前記面発光装置において、
前記一方側の見付け片部材と、前記他方側の見付け片部材の少なくともいずれか一方は、左右の縦枠材の見付け片部材の間に上枠材および下枠材の各見付け片部材が配置されるか、もしくは上枠材と下枠材の各見付け片部材との間に左右の縦枠材の見付け片部材が配置される構成を有し、
上下または左右の見付け片部材間に配置される側の見付け片部材に連結される連結部材の長手方向の端部は、見付け片部材間に配置される側の見付け片部材の長手方向の端部より長手方向に突出して配置されていることを特徴とする。
【００１１】
また、本発明の建具は、
前記面発光装置が組み付けられた建具であって、
前記建具の枠体における、ガラスパネル装着部よりも室内側の見込み面に前記面発光装置が取付けられていることを特徴とする。
【発明の効果】
【００１２】
本発明の面発光装置は、前記枠体の内周側に設けられた断面形状がコ字形の嵌め込み溝と、少なくとも導光板および化粧板を重ねて構成され、周囲が前記嵌め込み溝に嵌め込まれた面発光ユニットとを備えたので、見込み方向の幅を小さくすることが可能となる。また、窓等の建具に面発光装置を取付ける場合にも、トータルの見込み方向の幅を小さくすることが可能となる。
【００１３】
特に、建具の枠体のガラスパネル装着部よりも室内側の見込み面に面発光装置を取付けることにより、面発光装置を含めた建具の見込み方向の幅をさらに縮めることができる。
【図面の簡単な説明】
【００１４】
【図１】本発明による面発光装置を組み付けた面発光装置の一例を示す斜視図である。
【図２】本発明による面発光装置の一実施の形態を、室外側から見た図である。
【図３】この実施の形態の面発光装置を、室内側から見た図である。
【図４】この実施の形態の面発光装置において、面発光ユニットを省略して示す図２の部分拡大図である。
【図５】この実施の形態の面発光装置において、面発光ユニットを省略して示す図３の部分拡大図である。
【図６】この実施の形態の面発光ユニットを、室内側見付け片部材を外して室内側から見た図である。
【図７】この実施の形態における面発光ユニットの配線を示す図６の部分拡大図である。
【図８】この実施の形態の面発光装置の縦断面図である。
【図９】この実施の形態の面発光装置の横断面図である。
【図１０】この実施の形態の面発光装置を嵌め殺し窓に組み付けた例を示す縦断面図である。
【図１１】この実施の形態の面発光装置を嵌め殺し窓に組み付けた例を示す横断面図である。
【図１２】本発明の他の実施の形態の面発光装置を嵌め殺し窓に組み付けた状態で示す縦断面図である。
【図１３】図１２に示す嵌め殺し窓の横断面図である。
【発明を実施するための形態】
【００１５】
本発明による面発光装置を組み付けた建具の一例を示す斜視図である。この面発光装置は商業施設や公共施設等として設置された建物に取付けられるものである。この例の建具は、複数の縦枠１と、上枠２と、下枠３と、隣接する縦枠１，１間に設けられた中枠４とで枠体５が組まれ、縦枠１と上枠２と中枠４とで込まれた枠組み、および縦枠１と下枠３と中枠４で組まれた枠組み内にそれぞれガラスパネル６が組み込まれる。また、縦枠１と上枠２と中枠４で構成された枠内におけるガラスパネル６より室内側に、それぞれ面発光装置７が組み込まれる。
【００１６】
図２は面発光装置７を室外側から見た図、図３は同じく室内側から見た図である。この面発光装置７の枠体９は、上枠材１０と下枠材１１と左右の縦枠材１２とで矩形に枠組みされる。１４は枠体９内に組み込まれた面発光ユニットである。
【００１７】
図４は図２において、面発光ユニット１４を省略して面発光装置７の枠組みのみを示す拡大図、図５は図３において、面発光ユニット１４を省略して面発光装置７の枠組みのみを示す拡大図である。図２ないし図５に示すように、上枠材１０は室外側見付け片部材１６と室内側見付け片部材１７とに分割されると共に、この実施の形態においてはこれらを連結する連結部材１８とで上枠材１０が構成される。下枠材１１も同様に、室外側見付け片部材２０と室内側見付け片部材２１とに分割され、これらを連結する連結部材２２を備える。縦枠材１２も同様に、室外側見付け片部材２４と室内側見付け片部材２５とに分割され、これらを連結する連結部材２６を備える。
【００１８】
図６は室内側見付け片部材１７，２１，２５を省略して室内側から見た面発光ユニット１４の枠体９における収容構造を示し、図７は面発光ユニット１４の結線構造を示す図、図８はこの実施の形態の面発光装置７の縦断面図、図９はその横断面図である。
【００１９】
図８に示すように、上枠材１０の室外側見付け片部材１６は、水平片部１６ａと垂直片部１６ｂとからなる略Ｌ字形の断面形状を有する。上枠材１０の連結部材１８は、室外側見付け片部材１６の水平片部１６ａより短い水平片部１８ａと、室外側見付け片部材１６の垂直片部１６ｂより短い垂直片部１８ｂとを有する。これらの室外側見付け片部材１６と連結部材１８は、水平片部１６ａ，１８ａどうしを重ねてねじ２８により固定する。上枠材１０の室内側見付け片部材１７は平板状をなし、その上端を、室外側見付け片部材１６の水平片部１６ａの室内側端部の下面と、連結部材１８の垂直片部１８ｂに当てて、垂直片部１８ｂにねじ２９により室内側見付け片部材１７の上部を連結部材１８に固定する。これにより、面発光ユニット１４を嵌め込む断面形状がコ字形の嵌め込み溝３０が形成される。
【００２０】
図８に示すように、下枠材１１の室外側見付け片部材２０は、水平片部２０ａと垂直片部２０ｂとからなる略Ｌ字形の断面形状を有する。連結部材２２は断面形状はコ字形をなし、この連結部材２２は室外側見付け片部材２０の水平片部２０ａに載せてねじ３２により室外側見付け片部材２０に固定される。下枠材１１の室内側見付け片部材２１は平板状をなし、その下端を室外側見付け片部材２０の水平片部２０ａの室内側先端部の上面と、連結部材２２の室内側の面に当てて、ねじ３３により連結部材２２に固定される。このような結合構造により、下枠材１１に面発光ユニット１４を嵌め込む断面形状がコ字形の嵌め込み溝３４が形成される。
【００２１】
図９に示すように、縦枠材１２の室外側見付け片部材２４は、見込み面部２４ａと見付け面部２４ｂとを有する断面形状が略Ｌ字形の断面形状を有する。縦枠材１２の連結部材２６は、見込み面部２６ａと見付け面部２６ｂとを有する略Ｌ字形の断面形状を有する。室外側見付け片部材２４と連結部材２６は、見込み面部２４ａ，２６ａを重ねてねじ３６により固定する。縦枠材１２の室内側見付け片部材２５は平板状をなし、その一端側を室外側見付け片部材２４の見込み面部２４ａの室内側端部の見込み面と、連結部材２６の見付け面部２６ｂに当ててこの見付け面部２６ｂにねじ３７により固定する。これにより、縦枠材１２に面発光ユニット１４を嵌め込む断面形状がコ字形をなす嵌め込み溝３８が形成される。
【００２２】
上枠材１０，下枠材１１および縦枠材１２の室外側見付け片部材１６，２０，２４と、室内側見付け片部材１７，２１，２５と、連結部材１８，２２，２６はアルミニウム合金製押出形材等の金属製押出形材や樹脂製押出形材が用いられる。また、室外側見付け片部材１６，２０，２４と連結部材１８，２２，２６とをそれぞれ固定するねじ２８，３２，３６、および室内側見付け片部材１７，２１，２５と連結部材１８，２２，２６とを固定するねじ２９，３３，３７としては、連結部材１８，２２，２６に予めねじ孔を設けておくビスのみならず、タッピングねじを用いることができる。
【００２３】
図４〜図６に示すように、この実施の形態においては、枠体９の室外側は、上枠材１０の室外側見付け片部材１６と縦枠材１２の室外側見付け片部材２４、下枠材１１の室外側見付け片部材２０と縦枠材１２の室外側見付け片部材２４との突き合わせ部は傾斜面４７に形成している。これは室外側からの外観を良好とするためである。一方、図４、図５に示すように、枠体９の室内側は、左右の縦枠材１２，１２の室内側見付け片部材２５，２５の間に、上枠材１０の室内側見付け片部材１７および下枠材１１の室内側見付け片部材２１が配置される縦勝ちに構成している。
【００２４】
図５に示すように、上枠材１０の室外側見付け片部材１６の長手方向の長さｗ１より、上枠材１０の連結部材１８の長さｗ２を短く形成している。下枠材１１についても同様に、室外側見付け片部材２０の長手方向の長さより、下枠材１１の連結部材２２の長さを短く形成している。また、縦枠材１２の室内側見付け片部材２５の長手方向の長さｈ１より、縦枠材１２の連結部材２６の長さｈ２を短く形成している。
【００２５】
また、下枠材１１について示すように、室内側見付け片部材２１の長手方向の端部より、連結部材２２の端部を長手方向にΔｔに示す幅だけ突出させて形成し、連結部材２２の長手方向の端部に、縦枠材１２の室内側見付け片部材２５の室外側の面のコーナー部を当てて突出部に支持させるように構成している。上枠材１０についても同様に、連結部材１８の長手方向の端部は、上枠材１０の室内側見付け片部材１７の端部よりΔｔの幅だけ突出させ、その突出部が、縦枠材１２の室内側見付け片部材２５の室外側の面のコーナー部を支持するように構成している。
【００２６】
図６、図７、図９において、４０は光源を収容する光源ホルダーである。図９に示すように、光源ホルダー４０は略Ｕ字状の断面形状をなし、この光源ホルダー４０内には光源としてのＬＥＤ４１を搭載した基板４２を収容する。この光源ホルダー４０は、基板４２を収容した凹部を、後述の導光板４４と反射板４６の左右の端部に外嵌して取付けられる。この光源ホルダー４０としては、ＬＥＤ４１で発生する熱を放熱する意味において、金属製押出形材を用いることが好ましいが、樹脂製のものを用いてもよい。
【００２７】
図８、図９に示すように、この実施の形態の面発光ユニット１４は、ＬＥＤ４１からの光により面発光させる導光板４４と、その導光板４４に重ねられる化粧板４５と、導光板４４の室内側に配置される反射板４６とからなる。導光板４４はアクリル板からなり、化粧板４５はアクリル板またはアクリル拡散板からなる。化粧板４５は、表面に表示物（絵、写真、文字、模様、マーク、色等）を印刷等により付着したり、これらの表示物を付したフィルムを貼り付けて用いる。また、表示物を記した板材を化粧板４５の表面または化粧板４５と導光板４４との間に配置してもよい。化粧板４５は単に無色もしくは着色したものであってもよい。
【００２８】
図８、図９において、４８は室内側見付け片部材１７，２１，２５の内面に固着された弾性材である。すなわち、この弾性材４８は、嵌め込み溝３０，３４，３８内において、面発光ユニット１４の室内側の面との間で圧縮された状態で介在する。４９はこの弾性材４８を室内側見付け片部材１７，２１，２５の内面に固定する両面テープである。この弾性材４８は室外側見付け片部材１６，２０，２４と面発光ユニット１４との間に設けてもよい。また、この弾性材４８は室外側見付け片部材１６，２０，２４と面発光ユニット１４との間と、室内側見付け片部材１７，２１，２５との間の双方に設けてもよい。弾性材４８としては、例えば合成樹脂製の発泡材やゴムを用いることができる。このような弾性材４８を設けることにより、導光板４４、化粧板４５、反射板４６が振動等により音が発生したり、位置ずれが生じることを抑えることができる。
【００２９】
このような構造により、図８、図９に示すように、面発光ユニット１４は、その周囲が、コ字形の嵌め込み溝３０，３４，３８内の奥面である見込み面に対向して嵌め込み溝３０，３４，３８内に収容される。また、面発光ユニット１４は、嵌め込み溝３０，３４，３８の対向する内面の間で弾性材４８を介して挟持されることにより、上枠材１０、下枠材１１及び縦枠材１２により構成される枠体内に固定される。
【００３０】
図１０はこの実施の形態の面発光装置７を組み付けた建具の一例を示す縦断面図、図１１はその横断面図である。この建具は、嵌め殺し窓６０として構成されたものであり、枠体６０ａは開口部(図示せず)に設置されるものである。この枠体６０ａは、上枠６１と下枠６２と縦枠６３とにより枠組みされ、その枠体６０ａ内にガラスパネル６５が装着される。この実施の形態においては、面発光装置７は、その嵌め殺し窓６０の枠体６０ａにおける、前記ガラスパネル６５の装着部よりも室内側の見込み面６１ａ，６２ａ，６３ａに取付けられている。
【００３１】
すなわち、図５に示す面発光装置７の左右の幅ｗ１は、図１１に示す枠体６０ａの室内側の左右の見込み面６２ａ，６２ａ間の幅Ｗａよりわずかに狭く、図５に示す面発光装置７の上下の幅ｈ１は、図１０に示す枠体６０ａの室内側の上下の見込み面６１ａ，６２ａ間の幅Ｈａよりわずかに狭く設定されている。また、この実施の形態においては、図８に示す面発光装置７の見込み方向の幅ｓ１は、図１０に示す、枠体６０ａのガラスパネル６５の装着部から室内側端部までの幅Ｓａより狭く設定している。
【００３２】
面発光装置７の施工の際には、上枠材１０、下枠材１１、縦枠材１２の各室外側見付け片部材１６，２０，２４を、連結部材１８，２２，２６と共に、嵌め殺し窓６０の上枠６１の見込み面６１ａ、下枠６２の見付け面６２ａ、縦枠６３の見込み面６３ａにそれぞれねじ等の固定具６７，６８，６９により固定する。なお、固定具６７，６８，６９としては、タッピングねじのみならず、予め枠体６０ａの見込み面６１ａ，６２ａ，６３ａにねじ孔またはナットを設け、そのねじ孔またはナットに螺合するねじを用いてもよく、採用可能な他の固定具を用いてもよい。
【００３３】
次に図６、図１０に示すように、面発光ユニット１４を下枠材１１の連結部材２２上に載せると共に、面発光ユニット１４の室外側面を室外側見付け片部材１６，２０，２４に当てて配置する。この状態において、図７に示すように、面発光ユニット１４の基板４２側配線５３の端部のコネクタ５２と、不図示の電源装置に繋がる配線５４の端部のコネクタ５１とを、例えば枠体９のコーナー部にて接続する。この例では、電源装置に繋がる配線５４およびコネクタ５２は、縦枠材１２に設けた開口部３１に通した例を示しているが、配線５３およびコネクタ５１を開口部３１を通して面発光装置７の外部に引き出すようにしてもよい。配線５４は枠体６０ａの縦枠６３内を通して天井部(図示せず)等に設置した電源装置に接続する。
【００３４】
ここで、図５に示したように、上枠材１０の室外側見付け片部材１６の長さｗ１より連結部材１８の長さｗ２が短く、縦枠材１２の室外側見付け片部材２４の長さｈ１より連結部材２６の長さｈ２が短く形成されている。これにより、枠体９のコーナー部において、上枠材１０の室外側見付け片部材１６と連結部材１８の各端部間にΔｗの間隔が形成され、縦枠材１２の室外側見付け片部材２４と連結部材２６の各端部間にΔｈの間隔が形成されるように構成されている。このような構成を有しているので、枠体９のコーナー部に作業のためのスペース９ａが確保でき、コネクタ５１，５２の接続作業等を行なう場合、その作業が容易となり、面発光ユニット１４の取付け作業が容易となる。また、スペース９ａに配線５２，５４等の電子部品を纏めて配置することができ、そのスペースを確保するために枠体９自体を大きくする必要がなく、枠体９を小型化できる。
【００３５】
なお、基板４２からの配線５３の引き出し部は、面発光ユニット１４の上端部ではなく、中間部や下端部であってもよく、連結部材１８，２２，２６を欠落させて形成する作業スペースも中間部や下端部としてもよい。また、枠体９に設ける配線５３，５４の引き出し用開口部３１は、上枠材１０や下枠材１１に設けてもよい。
【００３６】
このように、面発光ユニット１４を配置した後、室内側見付け片部材１７，２１，２５をそれぞれ連結部材１８，２２，２６に当ててねじ２９，３３，３７により固定する。この固定により、室内側見付け片部材１７，２１，２５は弾性材４８を介して面発光ユニット１４の室内側の面に押し当てられ、面発光ユニット１４が固定される。
【００３７】
この実施の形態の面発光装置７は、枠体９の内周側に設けられた嵌め込み溝３０，３４，３８と、導光板４４、化粧板４５および反射板４６を重ねて構成され、周囲が断面形状がコ字形の嵌め込み溝３０，３４，３８に嵌め込まれた面発光ユニット１４とを備えたので、見込み方向の幅を小さくすることが可能となる。このため、この実施の形態の面発光装置７を組み込んで嵌め殺し窓６０等の建具を実現した場合、面発光装置７による室内側への突出幅は小さくなる。
【００３８】
面発光装置７を嵌め殺し窓６０に組み付ける場合、嵌め殺し窓６０の枠体６０ａの室内側見付け面に面発光装置７を取付けてもよい。しかしながら、図１０、図１１に示すように、嵌め込み窓６０のガラスパネル６５より室内側の見込み面６１ａ，６２ａ，６３ａに面発光装置７を取付ければ、この実施の形態のように、面発光装置７を含めた嵌め殺し窓６０の幅を増大させることなく実現できる。また、面発光装置７の一部が室内側へ突出したとしても、その突出幅を小さくして実現することができる。
【００３９】
また、この実施の形態においては、上枠材１０や下枠材１１の連結部材１８，２２が室内側見付け片部材１７，２１の両端部より突出させて縦枠材１２の室内側見付け片部材２５のコーナー部に対向させることにより、そのコーナー部が支持されるように構成したので、連結部材１８，２２のΔｔに示す突出部が縦枠材１２の室内側見付け片部材２５を補強することができる。
【００４０】
また、面発光装置７の枠体９は、連結部材１８，２２，２６を無くして構成してもよい。しかしながら、連結部材１８，２２，２６を無くして図７に示したような作業用のスペース９ａを、室外側見付け片部材１６，２０，２４のみで実現しようとした場合、これらの室外側見付け片部材１６，２０，２４のコーナー部のスペース９ａ形成のための切断工程が複雑化する。換言すれば、連結部材１８，２２，２６を付加すれば、室外側見付け片部材１６，２０，２４の切断工程が簡単化されるという利点がある。
【００４１】
また、嵌め殺し窓６０の見込み面６１ａ，６２ａ，６３ａに面発光装置７が固定具６７，６８，６９により取付けられるため、面発光装置７用の特殊な枠体を製作することなく、既存の建具にも面発光装置７を施工できる。
【００４２】
上記の実施の形態は、面発光ユニット１４の左右に光源（ＬＥＤ）を有する光源ホルダー４０を設けた例を示したが、図１２の縦断面図と図１３の横断面図に示すように、面発光ユニット１４の上下にそれぞれ光源ホルダー４０を設けてもよい。また、面発光ユニット１４の室内側にプレート状の電源を設けてよい。
【００４３】
また、枠体９の室内側見付け片部材１７，２１，２５は縦勝ちではなく、横勝ち（上枠材１０の室内側見付け片部材１７と下枠材１１の室内側見付け片部材２１との間に縦枠材１２の室内側見付け片部材２５，２５が配置される構造）としてもよい。また、室外側見付け片部材１６，２０，２４においても、縦勝ちまたは横勝ちに構成してもよい。
【００４４】
また、面発光ユニット１４は、反射板４６を備えないものや室内側、室外側の双方に向けて発光するものであってもよい。また、面発光装置７を組み込む建具は、嵌め込み窓のみではなく、可動障子を有する窓やドアやカーテンウォール等として実現することができる。また、面発光装置７は壁に固定したり、衝立のように自立した支持体に組み込んで使用することも可能である。建具のみならず、壁や支持体に面発光装置７を取付ける場合を含めると、上述の室外側、室内側という表現は、室外側、室内側のいずれか一方を一方側、他方を他方側と表現することになる。
【００４５】
その他、本発明を実施する場合、本発明の要旨を逸脱しない範囲において、構成部材やその組み合わせについて、種々の変更、付加が可能である。
【符号の説明】
【００４６】
７  面発光装置
９  枠体
１０  上枠材
１１  下枠材
１２  縦枠材
１４  面発光ユニット
１６，２０，２４  室外側見付け片部材
１７，２１，２５  室内側見付け片部材
１８，２２，２６  連結部材
３０，３４，３８  嵌め込み溝
４４  導光板
４５  化粧板
４６  反射板
４８  弾性材
６０  嵌め殺し窓（建具）
６０ａ  枠体
６１ａ，６２ａ，６３ａ  見込み面
６５  ガラスパネル
６７，６８，６９  固定具
【図１】
0006629631.tif 000002
【図２】
0006629631.tif 000003
【図３】
0006629631.tif 000004
【図４】
0006629631.tif 000005
【図５】
0006629631.tif 000006
【図６】
0006629631.tif 000007
【図７】
0006629631.tif 000008
【図８】
0006629631.tif 000009
【図９】
0006629631.tif 000010
【図１０】
0006629631.tif 000011
【図１１】
0006629631.tif 000012
【図１２】
0006629631.tif 000013
【図１３】
0006629631.tif 000014